(57)【要約】【課題】シート上に表示された情報を確実に分断して情報の漏洩を回避する。【解決手段】貼付票１２を具備する伝票シート１０と、伝票シート１０の裏面に積層された擬似接着層４０とを有し、伝票シート１０は、突出側とは反対側が開口した細長の凸形状を具備する複数のスリット１３が、開口側の端部が貼付票１２の端辺に沿って並ぶように貼付票１２内にて同一方向を向いて横並びとなって形成され、スリット１３は、隣り合うスリット１３どうしが、開口側の端部間にてカット部とタイ部とからなるミシン目１５で接続されている。【選択図】図１
2020023059.tif 000002
【特許請求の範囲】
【請求項１】
情報が表示される情報表示部を具備する第１のシートと、
前記第１のシートの前記情報が表示される面とは反対側の面に積層された第１の接着層とを有し、
前記第１の接着層は、少なくとも前記情報表示部に対向する領域が、当該第１の接着層によって基材または被着体に貼着された前記第１のシートの前記基材または被着体からの剥離を可能とする構造を具備し、
前記第１のシートは、当該第１のシートを貫通し、突出側とは反対側が開口した細長の凸形状を具備する複数の切り込みが、前記開口側の端部が前記情報表示部の端辺に沿って並ぶように前記情報表示部内にて同一方向を向いて横並びとなって形成され、
前記複数の切り込みは、隣り合う切り込みどうしが、前記開口側の端部間にてカット部とタイ部とからなる切り離し線で接続されている、情報保護ラベル。
【請求項２】
請求項１に記載の情報保護ラベルにおいて、
前記基材として、前記第１の接着層によってその全面にて前記第１のシートに擬似貼着され、前記第１のシートとの貼着面とは反対側の面に第２の接着層が積層された第２のシートを有する、情報保護ラベル。
【請求項３】
請求項１または請求項２に記載の情報保護ラベルにおいて、
前記第１の接着層は、前記情報表示部の前記切り込みの開口側の端辺に沿う領域であって前記切り込みに重ならない領域に、それ以外の領域よりも強い接着力を具備する強接着部を有する、情報保護ラベル。
【請求項４】
請求項３に記載の情報保護ラベルにおいて、
前記複数の切り込みのそれぞれは、前記開口側の２つの端部間も、カット部とタイ部とからなる切り離し線で接続されている、情報保護ラベル。
【請求項５】
請求項４に記載の情報保護ラベルにおいて、
前記隣り合う切り込みどうしを前記開口側の端部間にて接続する切り離し線は、前記端部に前記カット部が繋がり、前記切り込みの開口側の２つの端部間を接続する切り離し線は、前記端部に前記タイ部が繋がっている、情報保護ラベル。
【請求項６】
請求項３乃至５のいずれか１項に記載の情報保護ラベルにおいて、
前記第１の接着層は、前記切り込みの凸形状の先端部分の内側の領域に前記強接着部を有する、情報保護ラベル。
【発明の詳細な説明】
【技術分野】
【０００１】
本発明は、情報が表示されるラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、基材の一部に先端部がＵ字状の切り取り線を形成し、被着体に貼着された状態から、切り取り線の内側の領域を剥離部として基材から分離することで、基材の表面に表示された個人情報を破壊して読み取りにくくする構成を有する宛名ラベルが特許文献１に開示されている。この宛名ラベルを配送ラベルとして用いることで、配送物が配送先に届けられた後に、切り取り線の内側の領域を剥離部として基材から分離することで、個人情報が破壊されることになり、個人情報の漏洩を回避することができる。
【先行技術文献】
【特許文献】
【０００４】
【特許文献１】特許第５９３５４２７号公報
【発明の概要】
【発明が解決しようとする課題】
【０００５】
特許文献１に開示されたものにおいては、個人情報を破壊するためにはＵ字状の切り取り線の内側の領域を基材から分離する必要があるため、基材のＵ字状の端部側の領域を破断しなければならない。しかしながら、Ｕ字状の端部側の領域においては、基材の破断を支援するミシン目等の構造が設けられていないため、Ｕ字状の切り取り線の内側の領域を基材からスムーズに分離することができるとは言い難い。
【０００６】
本発明は、上述したような従来の技術が有する問題点に鑑みてなされたものであって、シート上に表示された情報を、シートに設けられた切り込みを用いてスムーズに分断して情報の漏洩を回避できる情報保護ラベルを提供することを目的とする。
【課題を解決するための手段】
【０００７】
上記目的を達成するために本発明は、
情報が表示される情報表示部を具備する第１のシートと、
前記第１のシートの前記情報が表示される面とは反対側の面に積層された第１の接着層とを有し、
前記第１の接着層は、少なくとも前記情報表示部に対向する領域が、当該第１の接着層によって基材または被着体に貼着された前記第１のシートの前記基材または被着体からの剥離を可能とする構造を具備し、
前記第１のシートは、当該第１のシートを貫通し、突出側とは反対側が開口した細長の凸形状を具備する複数の切り込みが、前記開口側の端部が前記情報表示部の端辺に沿って並ぶように前記情報表示部内にて同一方向を向いて横並びとなって形成され、
前記複数の切り込みは、隣り合う切り込みどうしが、前記開口側の端部間にてカット部とタイ部とからなる切り離し線で接続されている。
【０００８】
上記のように構成された本発明においては、第１の接着層によって基材または被着体に貼着された第１のシートのうち情報表示部を基材または被着体から剥離する際、第１のシートに形成された切り込みの凸形状の突出側から情報表示部を剥離していくと、切り込みの内側の領域が基材または被着体に貼着されたままとなる一方、切り込みの外側の領域が基材または被着体から剥離していき、情報表示部が、切り込みの内側の領域と外側の領域とに分離していく。その後、切り込みの内側の領域と外側の領域との分離部分が、情報表示部の端辺に沿う領域において切り込みの開口側の端部に達すると、隣り合う切り込みどうしが、開口側の端部間にてカット部とタイ部とからなる切り離し線で接続されているため、この切り離し線を破断することで、情報表示部を切り込みの内側の領域と外側の領域との２つの領域にスムーズに分離させ、第１のシートに表示された情報を分断することができる。
【０００９】
このように、第１のシートに形成された複数の切り込みが、突出側とは反対側の開口側の端部間において、カット部とタイ部とからなる切り離し線で接続されていることにより、情報表示部を切り込みの内側の領域と外側の領域とに分離していき、切り込みの開口側の端部において切り離し線を破断することで、情報表示部を切り込みの内側の領域と外側の領域との２つの領域にスムーズに分離させ、シート上に表示された情報を、シートに設けられた切り込みを用いてスムーズに分断して情報の漏洩を回避できる。
【００１０】
また、基材として、第１の接着層によってその全面にて第１のシートに擬似貼着され、第１のシートとの貼着面とは反対側の面に第２の接着層が積層された第２のシートを用い、シート基材が２層構造となったラベルとしてもよい。
【００１１】
また、第１の接着層が、情報表示部の切り込みの開口側の端辺に沿う領域であって切り込みに重ならない領域に、それ以外の領域よりも強い接着力を具備する構成であれば、情報表示部が切り込みの凸形状の開口側から剥離されることを回避できる。
【００１２】
また、複数の切り込みのそれぞれが、開口側の２つの端部間も、カット部とタイ部とからなる切り離し線で接続されていれば、基材や被着体に貼着されたままとなる切り込みの内側の領域も切り離し線を破断することで、基材や被着体から剥離することができる。
【００１３】
また、隣り合う切り込みどうしを開口側の端部間にて接続する切り離し線が、切り込みの開口側の端部にカット部が繋がり、一方、切り込みの開口側の２つの端部間を接続する切り離し線が、切り込みの開口側の端部にタイ部が繋がっていれば、情報表示部の切り込みの外側の領域を基材または被着体から剥離した際に、切り込みの端部から切り離し線を破断しやすくなる。
【００１４】
また、第１の接着層が、切り込みの凸形状の先端部分の内側の領域に強接着部を有する構成とすれば、情報表示部の切り込みの内側の領域が基材または被着体から剥離しにくくなっており、それにより、情報表示部の切り込みの外側の領域を基材または被着体から剥離していく際に、剥離速度等の条件によって、情報表示部の切り込みの内側の領域が外側の領域に釣られて基材または被着体から剥離してしまって情報表示部を切り込みの内側の領域と外側の領域との２つの領域に分離させることができなくなってしまうことを回避できる。
【発明の効果】
【００１５】
本発明によれば、第１のシートに形成された複数の切り込みが、突出側とは反対側の開口側の端部間において、カット部とタイ部とからなる切り離し線で接続されていることにより、情報表示部を切り込みの内側の領域と外側の領域とに分離していき、切り込みの開口側の端部において切り離し線を破断することで、情報表示部を切り込みの内側の領域と外側の領域との２つの領域にスムーズに分離させ、シート上に表示された情報を、シートに設けられた切り込みを用いてスムーズに分断して情報の漏洩を回避できる。
【００１６】
また、第１の接着層が、情報表示部の切り込みの開口側の端辺に沿う領域であって切り込みに重ならない領域に、それ以外の領域よりも強い接着力を具備するものにおいては、情報表示部が切り込みの凸形状の開口側から剥離されることを回避できる。
【００１７】
また、複数の切り込みのそれぞれが、開口側の２つの端部間も、カット部とタイ部とからなる切り離し線で接続されているものにおいては、基材や被着体に貼着されたままとなる切り込みの内側の領域も切り離し線を破断することで、基材や被着体から剥離することができる。
【００１８】
また、隣り合う切り込みどうしを開口側の端部間にて接続する切り離し線が、切り込みの開口側の端部にカット部が繋がり、一方、切り込みの開口側の２つの端部間を接続する切り離し線が、切り込みの開口側の端部にタイ部が繋がっているものにおいては、情報表示部の切り込みの外側の領域を基材または被着体から剥離した際に、切り込みの端部から切り離し線を破断しやすくなる。
【００１９】
また、第１の接着層が、切り込みの凸形状の先端部分の内側の領域に強接着部を有するものにおいては、情報表示部の切り込みの内側の領域が基材または被着体から剥離しにくくなり、それにより、情報表示部の切り込みの外側の領域を基材または被着体から剥離していく際に、剥離速度等の条件によって、情報表示部の切り込みの内側の領域が外側の領域に釣られて基材または被着体から剥離してしまって情報表示部を切り込みの内側の領域と外側の領域との２つの領域に分離させることができなくなってしまうことを回避できる。
【図面の簡単な説明】
【００２０】
【図１】本発明の情報保護ラベルを利用した配送ラベルの第１の実施の形態を示す図であり、（ａ）は表面図、（ｂ）は（ａ）に示したＡ−Ａ’断面図、（ｃ）は伝票シートの裏面に積層されたニス層の構成を示す図である。
【図２】図１に示した配送ラベルが配送物に貼着されるまでの使用方法を説明するための図である。
【図３】配送物の配送先に配送される際の配送ラベルの使用方法を説明するための図である。
【図４】配送物の配送先に配送された後の配送ラベルの使用方法を説明するための図である。
【図５】配送物の配送先に配送された後の配送ラベルの使用方法を説明するための図である。
【図６】本発明の情報保護ラベルを利用した配送ラベルの第２の実施の形態を示す図であり、（ａ）は表面図、（ｂ）は（ａ）に示したＡ−Ａ’断面図、（ｃ）は伝票シートの裏面の構成を示す図である。
【図７】本発明の情報保護ラベルを利用した配送ラベルの第３の実施の形態を示す図であり、（ａ）は表面図、（ｂ）は（ａ）に示したＡ−Ａ’断面図、（ｃ）は伝票シートの裏面に積層されたニス層の構成を示す図である。
【図８】図７に示したスリットとミシン目の詳細な構成を示す図である。
【図９】図７に示した配送ラベルが配送物に貼着されるまでの使用方法を説明するための図である。
【図１０】配送物の配送先に配送される際の配送ラベルの使用方法を説明するための図である。
【図１１】配送物の配送先に配送された後の配送ラベルの使用方法を説明するための図である。
【図１２】配送物の配送先に配送された後の配送ラベルの使用方法を説明するための図である。
【図１３】本発明の情報保護ラベルを利用した配送ラベルの第４の実施の形態を示す図であり、（ａ）は表面図、（ｂ）は（ａ）に示したＡ−Ａ’断面図、（ｃ）は伝票シートの裏面の構成を示す図である。
【発明を実施するための形態】
【００２１】
以下に、本発明の実施の形態について図面を参照して説明する。
【００２２】
（第１の実施の形態）
図１は、本発明の情報保護ラベルを利用した配送ラベルの第１の実施の形態を示す図であり、（ａ）は表面図、（ｂ）は（ａ）に示したＡ−Ａ’断面図、（ｃ）は伝票シート１０の裏面に積層されたニス層４２ａ〜４２ｃの構成を示す図である。
【００２３】
本形態における配送ラベルは図１に示すように、伝票シート１０と中間シート２０とが擬似接着層４０によって剥離可能に擬似貼着されているとともに、中間シート２０の伝票シート１０との貼着面とは反対側の面に粘着剤層５０を介して剥離シート３０が剥離可能に貼着された配送ラベル１であって、伝票シート１０と擬似接着層４０とによって本願発明の情報保護ラベルが構成されている。
【００２４】
伝票シート１０は、本願発明における第１のシートを構成し、配達票１１と貼付票１２とがミシン目１４を介して分離可能に区画形成されて構成されている。
【００２５】
配達票１１には、この配送ラベル１が貼着されて配送される配送物の配送先の住所や氏名等の宛先情報が印字される配送情報表示欄１１ａが設けられているとともに、配達票１１を中間シート２０から剥離する際の剥離開始端部及び剥離方向を示す剥離開始マーク１１ｂが貼付票１２に隣接する１つの角部に表示されている。
【００２６】
貼付票１２は、本願発明における情報表示部となるものであって、この配送ラベル１が貼着されて配送される配送物の配送先の住所や氏名等の宛先情報が印字される配送情報表示欄１２ａが設けられているとともに、貼付票１２を中間シート２０から剥離する際の剥離開始端部及び剥離方向を示す剥離開始マーク１２ｂが配達票１１に隣接する１つの角部に表示されている。さらに貼付票１２には、切り込み線となるスリット１３が伝票シート１０を貫通して複数形成されている。この複数のスリット１３は、細長の凸形状となるＵ字状の形状を有し、Ｕ字状の突出側が、剥離開始マーク１２ｂによって示される剥離開始端部側となるように互いに同一方向を向いて横並びとなって形成されており、開口側の端部が貼付票１２の配達票１１とは反対側の端辺またはそれに隣接する端辺に沿って並んでいる。複数のスリット１３は、１つのスリット１３の直線部分の間隔と、隣接するスリット１３の直線部分の間隔とが、互いに等しいものとなっており、例えば４ｍｍ程度とすることが考えられる。また、複数のスリット１３間には、隣り合うスリット１３の開口側の端部間を接続する切り離し線となるミシン目１５が形成されている。ミシン目１５は、横並びとなった複数のスリット１３の両端部のスリット１３の開口側の端部のうち外側となる端部から貼付票１２の端辺までも形成されている。ミシン目１５は、カット部とタイ部とが交互に配置されて構成されており、カット部とタイ部との長さの比率は例えば、７：３とすることが考えられる。
【００２７】
伝票シート１０の裏面に積層された擬似接着層４０は、本願発明における第１の接着層を構成し、三種類のニス層４２ａ〜４２ｃと接着剤層４１とが積層されて構成されており、ニス層４２ａ〜４２ｃが伝票シート１０側となるようにして伝票シート１０に積層されている。ニス層４２ａ〜４２ｃは、互いにニスの濃度が異なり、それにより、伝票シート１０と中間シート２０とは擬似接着層４０によって剥離可能に貼着されているものの、ニス層４２ａ〜４２ｃが積層された領域は、接着力が互いに異なるものとなっている。ニス層４２ｂは、伝票シート１０との積層面のうち、貼付票１２の配達票１１とは反対側の端辺に沿う領域であってスリット１３に重ならない領域に積層されており、ニス層４２ｃは、配達票１１及び貼付票１２のうち剥離開始端マーク１１ｂ，１２ｄが表示された角部にそれぞれ積層されており、ニス層４２ａは伝票シート１０との積層面のそれ以外の領域全面に積層されている。そして、ニス層４２ｃにおけるニス濃度が最も濃く、ニス層４２ｂにおけるニスの濃度が最も薄いことにより、擬似接着層４０は、貼付票１２に対向する領域のうち、貼付票１２の配達票１１とは反対側の端辺に沿う領域であってスリット１３に重ならない領域に、それ以外の領域よりも強い接着力を具備する強接着部を有するものとなっている。接着剤層４１は、ニス層４２ａ〜４２ｃの全面を覆うように積層されている。
【００２８】
中間シート２０は、本願発明における第２のシートを構成するものであって、擬似接着層４０によって伝票シート１０に剥離可能に擬似貼着されている。中間シート２０の擬似接着層４０とは反対側の面には、その全面に粘着剤が塗布されることで第２の接着層となる粘着剤層５０が積層され、この粘着剤層５０によって剥離シート３０が剥離可能に貼着されている。なお、中間シート２０、粘着剤層５０及び剥離シート３０としては、中間シート２０と剥離シート３０が粘着剤層５０を介して剥離可能に貼着されたタック紙を用いることが考えられる。
【００２９】
以下に、上記のように構成された配送ラベル１の使用方法及びその際の作用について説明する。
【００３０】
図２は、図１に示した配送ラベル１が配送物に貼着されるまでの使用方法を説明するための図である。
【００３１】
図１に示した配送ラベル１を使用する場合は、まず、図２（ａ）に示すように、配送情報表示欄１１ａ，１２ａに、この配送ラベル１が貼着されて配送される配送物の配送先の住所や氏名等の配送情報１１ｃ，１２ｃが印字される。
【００３２】
配送情報表示欄１１ａ，１２ａに配送情報１１ｃ，１２ｃが印字された後、中間シート２０から剥離シート３０が剥離され、表出した粘着剤層５０によって、図２（ｂ）に示すように配送物２に貼着される。
【００３３】
このようにして配送ラベル１が貼着された配送物２は、配送情報表示欄１１ａ，１２ａに表示された配送情報１１ｃ，１２ｃに従って、配送物２の配送先に配送されていく。
【００３４】
図３は、配送物２の配送先に配送される際の配送ラベル１の使用方法を説明するための図である。図４及び図５は、配送物２の配送先に配送された後の配送ラベル１の使用方法を説明するための図である。
【００３５】
上記のように配送ラベル１が貼着された配送物２が配送先に配送されると、図３（ａ）に示すように、配達票１１が配送ラベル１から分離される。配達票１１は、ミシン目１４を介して貼付票１２と分離可能となっているとともに、伝票シート１０の裏面に積層された擬似接着層４０によって中間シート２０に剥離可能に貼着されていることで、剥離開始マーク１１ｂに従って中間シート２０から剥離することができる。その際、剥離開始端マーク１１ｂが表示された角部に積層されたニス層４２ｃを構成するニスの濃度が、他の領域に積層されたニス層４２ａ，４２ｂを構成するニスの濃度よりも濃いことから、剥離開始端マーク１１ｂが表示された角部の中間シート２０との貼着力が最も弱くなっており、それにより、配達票１１の剥離開始マーク１１ｂが表示された領域が摘みやすくなっている。また、配達票１１と貼付票１２との境界のうち、剥離開始マーク１１ｂ側の端部に、剥離開始マーク１１ｂ側の端部が配達票１１側に斜めに向いたカット部を有するジッパーをミシン目１４の代わりに設けておけば、配達票１１を配送ラベル１から分離する力が配達票１１側に向かった場合でも、配達票１１の分離部分がミシン目１４からずれて配達票１１が破断してしまうことが回避される。
【００３６】
中間シート２０から剥離された配達票１１は、配送業者によって持ち帰られて配送管理に用いられる。
【００３７】
このようにして、図３（ｂ）に示すように、配達票１１が配送物２から分離されることになる。
【００３８】
その後、配送物２の配送先においては、配送物２のパッケージ等の外装を廃棄する際、図４に示すように、貼付票１２が配送ラベル１から分離される。貼付票１２は、擬似接着層４０によって中間シート２０に剥離可能に貼着されているため、中間シート２０から剥離することで、配送ラベル１から分離することができる。その際、貼付票１２は、貼付票１２に表示された剥離開始マーク１２ｂに従って中間シート２０から剥離されていくことになる。ここで、剥離開始端マーク１２ｂが表示された角部に積層されたニス層４２ｃを構成するニスの濃度が、他の領域に積層されたニス層４２ａ，４２ｂを構成するニスの濃度よりも濃いことから、剥離開始端マーク１２ｂが表示された角部の中間シート２０との貼着力が最も弱くなっており、それにより、貼付票１２の剥離開始マーク１２ｂが表示された領域が摘みやすくなっている。
【００３９】
貼付票１２が、剥離開始マーク１２ｂに従って中間シート２０から剥離されていくと、貼付票１２には、細長のＵ字状のスリット１３が複数形成されており、このスリット１３は、Ｕ字状の突出側が、剥離開始マーク１２ｂによって示される剥離開始端部側となるように互いに同一方向を向いて形成されているため、図４に示すように、スリット１３のＵ字状の外側の領域が中間シート２０から剥離していく一方、Ｕ字状の内側の領域が中間シート２０に貼着されたままとなって、貼付票１２がスリット１３のＵ字状の外側の領域と内側の領域とに分離していく。
【００４０】
そして、貼付票１２の分離部分がスリット１３のＵ字状の開口側の端部に達すると、スリット１３のＵ字状の開口側の端部には、隣り合うスリット１３の開口側の端部に接続されたミシン目１５が接続されているため、このミシン目１５を破断することで、図５（ａ）に示すように貼付票１２のスリット１３の外側の領域が中間シート２０から剥離される一方、図５（ｂ）に示すように貼付票１２のスリット１３の内側の領域が中間シート２０に貼着されたままとなって貼付票１２が２つの領域にスムーズに分離されることになる。
【００４１】
上記のように中間シート２０から剥離された貼付票１２においては、スリット１３の外側の領域と内側の領域との２つの領域に分離されているため、貼付票１２に表示された配送情報１２ｃが分断され、認識することが困難となって情報の漏洩が回避されることとなる。
【００４２】
ここで、スリット１３が、Ｕ字状の突出側が、配達票１１に隣接する角部に表示された剥離開始マーク１２ｂによって示される剥離開始端部側となるように形成されているため、貼付票１２を配達票１１とは反対側の端辺側から剥離した場合、上述したように貼付票１２がスリット１３の外側の領域と内側の領域とに分離されなくなってしまう。しかしながら、本形態においては、上述したように、擬似接着層４０が、貼付票１２に対向する領域のうち、貼付票１２の配達票１１とは反対側の端辺に沿う領域であってスリット１３に重ならない領域に、それ以外の領域よりも強い接着力を具備する強接着部を有するものであることで、貼付票１２を配達票１１とは反対側の端辺側から剥離しにくくなっているため、貼付票１２が配達票１１とは反対側の端辺側から剥離されてしまうことが回避される。
【００４３】
（第２の実施の形態）
図６は、本発明の情報保護ラベルを利用した配送ラベルの第２の実施の形態を示す図であり、（ａ）は表面図、（ｂ）は（ａ）に示したＡ−Ａ’断面図、（ｃ）は伝票シート１０ａの裏面の構成を示す図である。
【００４４】
本形態は図６に示すように、図１に示した配送ラベル１に対して、伝票シート１０ａの構成と、伝票シート１０ａの裏面の構成が異なる配送ラベル１ａである。
【００４５】
本形態における伝票シート１０ａにおいては、伝票シート１０ａの外周に沿ってミシン目１４ａが形成されており、それにより、配達票１１及び貼付票１２が、ミシン目１４ａの外側の領域となる余剰部１６から分離可能に区画形成されている。
【００４６】
伝票シート１０ａの裏面には、その全面に、貼着後の剥離及び再貼着を可能とする再剥離糊が塗布されることで再剥離糊層５０ａが積層され、再剥離糊層５０ａとニス層４２ｃとによって剥離シート３０が剥離可能に貼着されている。本形態においては、再剥離糊層５０ａとニス層４２ｃとから本願発明における第１の接着層が構成されている。
【００４７】
上記のように構成された配送ラベル１ａにおいては、剥離シート３０が剥離されて配送物に貼着され、その後、配達票１１及び貼付票１２が、ミシン目１４ａが破断されることで配送ラベル１ａから分離されて配送物から剥離されることになる。配達票１１及び貼付票１２は、その裏面に再剥離糊層５０ａとともにニス層４２ｃが積層されているため、被着体となる配送物から容易に剥離することができる。その際、第１の実施の形態にて示したものと同様に、剥離開始マーク１２ｂに従って貼付票１２が配送物から剥離されていくと、貼付票１２のうちスリット１３のＵ字状の外側の領域が配送物から剥離される一方、スリット１３のＵ字状の内側の領域が配送物に貼着されたままとなり、その後、ミシン目１５を破断することで、貼付票１２がスリット１３のＵ字状の外側の領域と内側の領域とにスムーズに分離することになる。
【００４８】
このようにして貼付票１２が分離されることで、貼付票１２に表示された配送情報が分断され、情報の漏洩が回避されることとなる。
【００４９】
（第３の実施の形態）
図７は、本発明の情報保護ラベルを利用した配送ラベルの第３の実施の形態を示す図であり、（ａ）は表面図、（ｂ）は（ａ）に示したＡ−Ａ’断面図、（ｃ）は伝票シート１１０の裏面に積層されたニス層１４２ａ〜１４２ｃの構成を示す図である。図８は、図７に示したスリット１１３とミシン目１１５の詳細な構成を示す図である。
【００５０】
本形態における配送ラベルは図７に示すように、伝票シート１１０と中間シート１２０とが擬似接着層１４０によって剥離可能に擬似貼着されているとともに、中間シート１２０の伝票シート１１０との貼着面とは反対側の面に粘着剤層１５０を介して剥離シート１３０が剥離可能に貼着された配送ラベル１０１であって、伝票シート１１０と擬似接着層１４０とによって本願発明の情報保護ラベルが構成されている。
【００５１】
伝票シート１１０は、本願発明における第１のシートを構成し、配達票１１１と貼付票１１２とがミシン目１１４を介して分離可能に区画形成されて構成されている。
【００５２】
配達票１１１には、この配送ラベル１０１が貼着されて配送される配送物の配送先の住所や氏名等の宛先情報が印字される配送情報表示欄１１１ａが設けられているとともに、配達票１１１を中間シート１２０から剥離する際の剥離開始端部及び剥離方向を示す剥離開始マーク１１１ｂが貼付票１１２に隣接する１つの角部に表示されている。
【００５３】
貼付票１１２は、本願発明における情報表示部となるものであって、この配送ラベル１０１が貼着されて配送される配送物の配送先の住所や氏名等の宛先情報が印字される配送情報表示欄１１２ａが設けられているとともに、貼付票１１２を中間シート１２０から剥離する際の剥離開始端部及び剥離方向を示す剥離開始マーク１１２ｂが表示されている。さらに貼付票１１２には、切り込み線となるスリット１１３が伝票シート１１０を貫通して複数形成されている。この複数のスリット１１３は、一方の側が開口した細長の凸形状となる傾いたコの字状の形状を有し、突出側が、剥離開始マーク１１２ｂによって示される剥離開始端部側となるように互いに同一方向を向いて横並びとなって形成されており、開口側の端部が貼付票１１２の配達票１１１とは反対側の端辺またはそれに隣接する端辺に沿って並んでいる。また、複数のスリット１１３の開口側の端部には、開口側の全ての端部を接続する切り離し線となるミシン目１１５が形成されている。また、ミシン目１１５は、横並びとなった複数のスリット１１３の両端部のスリット１１３の開口側の端部のうち外側となる端部から貼付票１１２の端辺までも形成されている。スリット１１３は、図８に示すように、突出側が、カット部１１３ａの両端に、例えば１ｍｍ程度の長さを具備するタイ部１１３ｂを有する構成となっている。また、ミシン目１１５は、カット部１１５ａとタイ部１１５ｂとが交互に配置されて構成されており、隣り合うスリット１１３どうしを開口側の端部間にて接続するミシン目１１５においては、スリット１１３の端部にカット部１１５ａが繋がり、ミシン目１１５の開口側の２つの端部間を接続するミシン目１１５においては、その端部にタイ部１１５ｂが繋がっている。
【００５４】
伝票シート１１０の裏面に積層された擬似接着層１４０は、本願発明における第１の接着層を構成し、三種類のニス層１４２ａ〜１４２ｃと接着剤層１４１とが積層されて構成されており、ニス層１４２ａ〜１４２ｃが伝票シート１１０側となるようにして伝票シート１１０に積層されている。ニス層１４２ａ〜１４２ｃは、互いにニスの濃度が異なり、それにより、伝票シート１１０と中間シート１２０とは擬似接着層１４０によって剥離可能に貼着されているものの、ニス層１４２ａ〜１４２ｃが積層された領域は、接着力が互いに異なるものとなっている。ニス層１４２ｂは、伝票シート１１０との積層面のうち、スリット１１３の凸形状の先端部分の内側の領域と、貼付票１１２の配達票１１１とは反対側の端辺に沿う領域であってスリット１１３に重ならない領域とに積層されており、ニス層１４２ｃは、配達票１１１及び貼付票１１２のうち剥離開始端マーク１１１ｂ，１１２ｂが表示された角部にそれぞれ積層されており、ニス層１４２ａは伝票シート１１０との積層面のそれ以外の領域全面に積層されている。そして、ニス層１４２ｃにおけるニス濃度が最も濃く、ニス層１４２ｂにおけるニスの濃度が最も薄いことにより、擬似接着層１４０は、貼付票１１２に対向する領域のうち、スリット１１３の凸形状の先端部分の内側の領域と、貼付票１１２の配達票１１１とは反対側の端辺に沿う領域とに、それ以外の領域よりも強い接着力を具備する強接着部を有するものとなっている。接着剤層１４１は、ニス層１４２ａ〜１４２ｃの全面を覆うように積層されている。
【００５５】
中間シート１２０は、本願発明における第２のシートを構成するものであって、擬似接着層１４０によって伝票シート１１０に剥離可能に擬似貼着されている。中間シート１２０の擬似接着層１４０とは反対側の面には、その全面に粘着剤が塗布されることで粘着剤層１５０が積層され、この粘着剤層１５０によって剥離シート１３０が剥離可能に貼着されている。なお、中間シート１２０、粘着剤層１５０及び剥離シート１３０としては、中間シート１２０と剥離シート１３０が粘着剤層１５０を介して剥離可能に貼着されたタック紙を用いることが考えられる。
【００５６】
以下に、上記のように構成された配送ラベル１０１の使用方法及びその際の作用について説明する。
【００５７】
図９は、図７に示した配送ラベル１０１が配送物に貼着されるまでの使用方法を説明するための図である。
【００５８】
図７に示した配送ラベル１０１を使用する場合は、まず、図９（ａ）に示すように、配送情報表示欄１１１ａ，１１２ａに、この配送ラベル１０１が貼着されて配送される配送物の配送先の住所や氏名等の配送情報１１１ｃ，１１２ｃが印字される。
【００５９】
配送情報表示欄１１１ａ，１１２ａに配送情報１１１ｃ，１１２ｃが印字された後、中間シート１２０から剥離シート１３０が剥離され、表出した粘着剤層１５０によって、図９（ｂ）に示すように配送物２に貼着される。
【００６０】
このようにして配送ラベル１０１が貼着された配送物２は、配送情報表示欄１１１ａ，１１２ａに表示された配送情報１１１ｃ，１１２ｃに従って、配送物２の配送先に配送されていく。
【００６１】
図１０は、配送物２の配送先に配送される際の配送ラベル１０１の使用方法を説明するための図である。図１１及び図１２は、配送物２の配送先に配送された後の配送ラベル１０１の使用方法を説明するための図である。
【００６２】
上記のように配送ラベル１０１が貼着された配送物２が配送先に配送されると、図１０（ａ）に示すように、配達票１１１が配送ラベル１０１から分離される。配達票１１１は、ミシン目１１４を介して貼付票１１２と分離可能となっているとともに、伝票シート１１０の裏面に積層された擬似接着層１４０によって中間シート１２０に剥離可能に貼着されていることで、剥離開始マーク１１１ｂに従って中間シート１２０から剥離することができる。その際、剥離開始端マーク１１１ｂが表示された角部に積層されたニス層１４２ｃを構成するニスの濃度が、他の領域に積層されたニス層１４２ａ，１４２ｂを構成するニスの濃度よりも濃いことから、剥離開始端マーク１１１ｂが表示された角部の中間シート１２０との貼着力が最も弱くなっており、それにより、配達票１１１の剥離開始マーク１１１ｂが表示された領域が摘みやすくなっている。また、配達票１１１と貼付票１１２との境界のうち、剥離開始マーク１１１ｂ側の端部に、剥離開始マーク１１１ｂ側の端部が配達票１１１側に斜めに向いたカット部を有するジッパーをミシン目１１４の代わりに設けておけば、配達票１１１を配送ラベル１０１から分離する力が配達票１１１側に向かった場合でも、配達票１１１の分離部分がミシン目１１４からずれて配達票１１１が破断してしまうことが回避される。
【００６３】
中間シート１２０から剥離された配達票１１１は、配送業者によって持ち帰られて配送管理に用いられる。
【００６４】
このようにして、図１０（ｂ）に示すように、配達票１１１が配送物２から分離されることになる。
【００６５】
その後、配送物２の配送先においては、配送物２のパッケージ等の外装を廃棄する際、図１１（ａ）に示すように、貼付票１１２が配送ラベル１０１から分離される。貼付票１１２は、擬似接着層１４０によって中間シート１２０に剥離可能に貼着されているため、中間シート１２０から剥離することで、配送ラベル１０１から分離することができる。貼付票１１２は、貼付票１１２に表示された剥離開始マーク１１２ｂに従って中間シート１２０から剥離されていくことになる。その際、剥離開始端マーク１１２ｂが表示された領域に積層されたニス層１４２ｃを構成するニスの濃度が、他の領域に積層されたニス層１４２ａ，１４２ｂを構成するニスの濃度よりも濃いことから、剥離開始端マーク１１２ｂが表示された領域の中間シート１２０との貼着力が最も弱くなっており、それにより、貼付票１１２の剥離開始マーク１１２ｂが表示された領域が摘みやすくなっている。
【００６６】
貼付票１１２が、剥離開始マーク１１２ｂに従って中間シート１２０から剥離されていくと、貼付票１１２には、細長の凸形状のスリット１１３が複数形成されており、このスリット１１３は、凸形状の突出側が、剥離開始マーク１１２ｂによって示される剥離開始端部側となるように互いに同一方向を向いて形成されているため、図１１（ａ）に示すように、スリット１１３の外側の領域が中間シート１２０から剥離していく一方、スリット１１３の内側の領域が中間シート１２０に貼着されたままとなって、貼付票１１２がスリット１１３の外側の領域と内側の領域とに分離していく。
【００６７】
ここで、本形態においては、スリット１１３の突出側が、カット部１１３ａとタイ部１１３ｂとから構成されていることもあって、中間シート１２０から貼付票１１２を剥離する際、その剥離の速度等の条件によっては、貼付票１１２のスリット１１３の内側の領域も外側の領域とともに中間シート１２０から剥離してしまう虞がある。
【００６８】
しかしながら、本形態における配送ラベル１０１においては、伝票シート１１０と中間シート１２０とを剥離可能に擬似貼着する擬似接着層１４０が、ニスの濃度が互いに異なる三種類のニス層１４２ａ〜１４２ｃを用いることで、貼付票１１２に形成されたスリット１１３の凸形状の先端部分の内側の領域に、それ以外の領域よりも強い接着力を具備する強接着部を有するため、貼付票１１２は、スリット１１３の凸形状の先端部分の内側の領域が中間シート１２０から剥離しにくくなっている。そのため、剥離開始マーク１１２ｂに従って貼付票１１２が中間シート１２０から剥離されていくと、スリット１１３の突出側に設けられたタイ部１１３ｂが破断し、貼付票１１２のうちスリット１１３の内側の領域が中間シート１２０に貼着されたままとなる一方、スリット１１３の外側の領域が中間シート１２０から剥離していき、貼付票１１２が２つの領域に分離していく。
【００６９】
そして、貼付票１１２の分離部分がスリット１１３の開口側の端部に達すると、スリット１１３の開口側の端部には、複数のスリット１１３の開口側の全ての端部を接続する切り離し線となるミシン目１１５が形成されているため、このミシン目１１５のうち、隣り合うスリット１１３の開口側の端部に接続されたミシン目１１５を破断することで、図１１（ｂ）に示すように貼付票１１２のスリット１１３の外側の領域が中間シート１２０から剥離される一方、貼付票１１２のスリット１１３の内側の領域が中間シート１２０に貼着されたままとなって貼付票１１２が２つの領域にスムーズに分離されることになる。
【００７０】
この際、隣り合うスリット１１３どうしを開口側の端部間にて接続するミシン目１１５においては、スリット１１３の端部にカット部１１５ａが繋がっているため、スリット１１３の開口側の端部からミシン目１１５を破断しやすくなっている。
【００７１】
上記のように中間シート１２０から剥離された貼付票１１２においては、スリット１１３の外側の領域と内側の領域との２つの領域に分離されているため、貼付票１１２に表示された配送情報１１２ｃが分断され、認識することが困難となって情報の漏洩が回避されることとなる。
【００７２】
ここで、スリット１１３が、凸形状の突出側が、配達票１１１に隣接する角部に表示された剥離開始マーク１１２ｂによって示される剥離開始端部側となるように形成されているため、貼付票１１２を配達票１１１とは反対側の端辺側から剥離した場合、上述したように貼付票１１２がスリット１１３の外側の領域と内側の領域とに分離されなくなってしまう。しかしながら、本形態においては、上述したように、擬似接着層１４０が、貼付票１１２に対向する領域のうち、貼付票１１２の配達票１１１とは反対側の端辺に沿う領域であってスリット１１３に重ならない領域に、それ以外の領域よりも強い接着力を具備する強接着部を有するものであることで、貼付票１１２を配達票１１１とは反対側の端辺側から剥離しにくくなっているため、貼付票１１２が配達票１１１とは反対側の端辺側から剥離されてしまうことが回避される。
【００７３】
一方、貼付票１１２のうちスリット１１３の内側の領域においては、貼付票１１２のうち中間シート１２０から剥離した部分から分離されているため、図１２（ａ）に示すように、ミシン目１１５とは反対側の端部から剥離していき、ミシン目１１５を破断することで、図１２（ｂ）に示すように、中間シート１２０から剥離することができる。
【００７４】
なお、本形態においては、擬似接着層１４０が、ニスの濃度が互いに異なる三種類のニス層１４２ａ〜１４２ｃを用いることで、貼付票１１２に対向する領域のうち、スリット１１３の凸形状の先端部分の内側の領域と、貼付票１１２の配達票１１１とは反対側の端辺に沿う領域とに、それ以外の領域よりも強い接着力を具備する強接着部を有する構成を実現しているが、擬似接着層１４０の接着剤層１４１を構成する接着剤の濃度を、スリット１１３の凸形状の先端部分の内側の領域及び貼付票１１２の配達票１１１とは反対側の端辺に沿う領域と、それ以外の領域とで異ならせたり、ニス層１４２を構成するニスと接着剤層１４１を構成する接着剤のそれぞれについてその濃度を、スリット１１３の凸形状の先端部分の内側の領域及び貼付票１１２の配達票１１１とは反対側の端辺に沿う領域と、それ以外の領域とで異ならせたりすることで、スリット１１３の凸形状の先端部分の内側の領域と、貼付票１１２の配達票１１１とは反対側の端辺に沿う領域とに、それ以外の領域よりも強い接着力を具備する強接着部を有する構成を実現してもよい。さらには、スリット１１３の凸形状の先端部分の内側の領域と、貼付票１１２の配達票１１１とは反対側の端辺に沿う領域とにニス層を積層しない構成によっても、それらの領域に強接着部を有する構成を実現することができる。
【００７５】
（第４の実施の形態）
図１３は、本発明の情報保護ラベルを利用した配送ラベルの第４の実施の形態を示す図であり、（ａ）は表面図、（ｂ）は（ａ）に示したＡ−Ａ’断面図、（ｃ）は伝票シート１１０ａの裏面の構成を示す図である。
【００７６】
本形態は図１３に示すように、図７に示した配送ラベル１０１に対して、伝票シート１１０ａの構成と、伝票シート１１０ａの裏面の構成が異なる配送ラベル１０１ａである。
【００７７】
本形態における伝票シート１１０ａにおいては、伝票シート１１０ａの外周に沿ってミシン目１１４ａが形成されており、それにより、配達票１１１及び貼付票１１２が、ミシン目１１４ａの外側の領域となる余剰部１１５から分離可能に区画形成されている。
【００７８】
伝票シート１１０ａの裏面には、その全面に、貼着後の剥離及び再貼着を可能とする再剥離糊が塗布されることで再剥離糊層１５０ａが積層され、さらに、貼付票１１２に形成されたスリット１１３の凸形状の先端部分の内側の領域に粘着剤層１５０が積層され、再剥離糊層１５０ａとニス層１４２ｃと粘着剤層１５０とによって剥離シート１３０が剥離可能に貼着されている。本形態においては、再剥離糊層１５０ａとニス層１４２ｃと粘着剤層１５０とから本願発明における第１の接着層が構成されている。
【００７９】
これにより、本形態における配送ラベル１０１ａにおいては、貼付票１１２のうち、貼付票１１２に形成されたスリット１１３の凸形状の先端部分の内側の領域に、それ以外の領域よりも強い接着力を具備する強接着部を有する構成が実現されている。
【００８０】
上記のように構成された配送ラベル１０１ａにおいては、剥離シート１３０が剥離されて配送物に貼着され、その後、配達票１１１及び貼付票１１２が、ミシン目１１４ａが破断されることで配送ラベル１０１ａから分離されて配送物から剥離されることになる。配達票１１１及び貼付票１１２は、その裏面に再剥離糊層１５０ａとともにニス層１４２ｃが積層されているため、被着体となる配送物から容易に剥離することができる。その際、第３の実施の形態にて示したものと同様に、スリット１１３が、凸形状の突出側が、剥離開始マーク１１２ｂによって示される剥離開始端部側となるように互いに同一方向を向いて形成されているため、剥離開始マーク１１２ｂに従って貼付票１１２が配送物から剥離されていくと、スリット１１３の外側の領域が配送物から剥離していく一方、スリット１１３の内側の領域が配送物に貼着されたままとなって、貼付票１１２がスリット１１３の外側の領域と内側の領域とに分離していく。なお、本形態においても、スリット１１３の突出側が、カット部１１３ａとタイ部１１３ｂとから構成されていることもあって、配送物から貼付票１１２を剥離する際、その剥離の速度等の条件によっては、貼付票１１２のスリット１１３の内側の領域も外側の領域とともに配送物から剥離してしまう虞があるが、配送ラベル１０１ａを配送物に貼着する接着構造が、貼付票１１２に形成されたスリット１１３の凸形状の先端部分の内側の領域に、それ以外の領域よりも強い接着力を具備する強接着部を有するため、剥離開始マーク１１２ｂに従って貼付票１１２が配送物から剥離されていくことによって、貼付票１１２が、スリット１１３の内側の領域と外側の領域との２つの領域に分離していく。
【００８１】
このようにして貼付票１１２が分離されることで、貼付票１１２に表示された配送情報が分断され、情報の漏洩が回避されることとなる。
【符号の説明】
【００８２】
１，１ａ，１０１，１０１ａ    配送ラベル
２    配送物
１０，１０ａ，１１０，１１０ａ    伝票シート
１１，１１１    配達票
１１ａ，１２ａ，１１１ａ，１１２ａ    配送情報表示欄
１１ｂ，１２ｂ，１１１ｂ，１１２ｂ    剥離開始マーク
１１ｃ，１２ｃ，１１１ｃ，１１２ｃ    配送情報
１２，１１２    貼付票
１３，１１３    スリット
１４，１４ａ，１５，１１４，１１４ａ，１１５    ミシン目
１６，１１６    余剰部
２０，１２０    中間シート
３０，１３０    剥離シート
４０，１４０    擬似接着層
４１，１４１    接着剤層
４２ａ〜４２ｃ，１４２ｃ〜１４２ｃ    ニス層
５０，１５０    粘着剤層
５０ａ，１５０ａ    再剥離糊層
１１３ａ，１１５ａ    カット部
１１３ｂ，１１５ｂ    タイ部
【図１】
2020023059.tif 000003
【図２】
2020023059.tif 000004
【図３】
2020023059.tif 000005
【図４】
2020023059.tif 000006
【図５】
2020023059.tif 000007
【図６】
2020023059.tif 000008
【図７】
2020023059.tif 000009
【図８】
2020023059.tif 000010
【図９】
2020023059.tif 000011
【図１０】
2020023059.tif 000012
【図１１】
2020023059.tif 000013
【図１２】
2020023059.tif 000014
【図１３】
2020023059.tif 000015